(57)【要約】【課題】本発明は、ナット部材を締め込んだり、緩める際の操作性が良好となり、リール脚の固定および固定解除を確実に行えるリール固定装置を得ることにある。【解決手段】リール固定装置(4)は、リール脚(8)を受けるリールシート本体(10)と、リールシート本体(10)に設けられ、リール脚(8)を間に挟んで向かい合う第１および第２のフード(14, 17)と、少なくともいずれか一方のフード(14, 17)に設けられ、リールシート本体(10)にねじ込むことで、第１および第２のフード(14, 17)を相対的に近づく方向に移動させてリール脚(8)をリールシート本体(10)に固定する筒状のナット部材(23)とを備えている。ナット部材(23)は、その外周面に周方向に沿う指掛け用の凹部(34)を有する。この凹部(34)の少なくともナット部材(23)の移動方向に沿う一端に、ナット部材(23)の径方向外側に進むに従い凹部(34)の幅を広げる方向に傾斜する傾斜面(36, 37)が形成されている。【選択図】図１
2006333726.tif 000002
【特許請求の範囲】
【請求項１】
魚釣用リールのリール脚を受けるリールシート本体と、
上記リールシート本体に設けられ、上記リール脚の一端を上記リールシート本体との間で保持する第１のフードと、
上記第１のフードと向かい合うとともに、上記リール脚の他端を上記リールシート本体との間で保持する第２のフードと、
上記第１のフードおよび上記第２のフードの少なくともいずれか一方に設けられ、上記リールシート本体に回転可能にねじ込まれる筒状のナット部材と、を具備し、
上記ナット部材を介して上記第１および第２のフードを相対的に近づく方向に移動させることにより、上記リール脚を上記リールシート本体に固定するリール固定装置において、
上記ナット部材の外周面に指掛け用の凹部を形成し、この凹部は、上記ナット部材の周方向に沿うとともに、少なくとも上記ナット部材の移動方向に沿う一端に、上記ナット部材の径方向外側に進むに従い上記凹部の幅を広げる方向に傾斜する傾斜面を有することを特徴とするリール固定装置。
【請求項２】
請求項１の記載において、上記凹部は、上記ナット部材の移動方向に沿う他端に、上記ナット部材の径方向外側に進むに従い上記凹部の幅を広げる方向に傾斜する他の傾斜面を有することを特徴とするリール固定装置。
【請求項３】
請求項１又は請求項２の記載において、上記ナット部材は、上記第１のフードおよび第２のフードの少なくともいずれか一方に相対的に回転可能に連結されていることを特徴とするリール固定装置。
【請求項４】
請求項１ないし請求項３のいずれかの記載において、上記ナット部材は、このナット部材を回転させた時にクリック音を発生させるリング状のクリック機構を含み、
このクリック機構は、上記ナット部材の周方向に間隔を存して配置された複数の係合凹部と、上記係合凹部に弾性的に離脱可能に引っ掛かる突起部とを有し、これら係合凹部および突起部は、上記ナット部材の内部において上記凹部で囲まれた領域に配置されていることを特徴とするリール固定装置。
【請求項５】
請求項４の記載において、上記ナット部材は合成樹脂製であり、このナット部材の凹部の少なくとも底は、上記ナット部材よりも硬質な補強部材で覆われていることを特徴とするリール固定装置。
【請求項６】
請求項５の記載において、上記補強部材は、繊維強化型材料で造られており、この繊維強化型材料は、少なくとも補強部材の周方向に沿うように配向された繊維を含むことを特徴とするリール固定装置。
【請求項７】
請求項１ないし請求項６のいずれかの記載において、上記リールシート本体は、両軸リール用であるとともに、上記両軸リールとは反対側に向けて突出するトリガーを有することを特徴とするリール固定装置。
【請求項８】
リール脚を有する魚釣用リールを固定するためのリール固定装置を備えた釣竿であって、
上記リール固定装置は、
上記リール脚を受けるリールシート本体と、
上記リールシート本体に設けられ、上記リール脚の一端を上記リールシート本体との間で保持する第１のフードと、
上記第１のフードと向かい合うとともに、上記リール脚の他端を上記リールシート本体との間で保持する第２のフードと、
上記第１のフードおよび上記第２のフードの少なくともいずれか一方に設けられ、上記リールシート本体にねじ込むことで、上記第１および第２のフードを相対的に近づく方向に移動させて上記リール脚を上記リールシート本体に固定する筒状のナット部材と、を具備し、
上記ナット部材の外周面に指掛け用の凹部を形成し、この凹部は、上記ナット部材の周方向に沿うとともに、少なくとも上記ナット部材の移動方向に沿う一端に、上記ナット部材の径方向外側に進むに従い上記凹部の幅を広げる方向に傾斜する傾斜面を有することを特徴とする釣竿。
【請求項９】
請求項８の記載において、上記凹部は、上記ナット部材の移動方向に沿う他端に、上記ナット部材の径方向外側に進むに従い上記凹部の幅を広げる方向に傾斜する他の傾斜面を有することを特徴とする釣竿。
【発明の詳細な説明】
【技術分野】
【０００１】
本発明は、魚釣用リールを釣竿に固定するためのリール固定装置およびリール固定装置を備えた釣竿に関する。
【背景技術】
【０００２】
釣竿は、元竿管の手元側に魚釣用リールを固定するためのリール固定装置を備えている。この種のリール固定装置は、魚釣用リールのリール脚が載置されるリールシート本体と、リールシート本体にリール脚を固定する第１のフードおよび第２のフードとを有している。
【０００３】
第１および第２のフードは、リール脚を間に挟んで互いに向かい合うようにリールシート本体に設けられている。第１のフードは、リールシート本体に一体に形成されている。第２のフードは、ナット部材と一体化されており、このナット部材をリールシート本体にねじ込むことで、第１のフード体に近づいたり遠ざかる方向に移動可能となっている。
【０００４】
すなわち、魚釣用リールをリールシート本体に固定するには、まず、リール脚をリールシート本体の上に載置し、このリール脚の一端を第１のフードに挿入する。次に、ナットを締め付けることで第２のフードを第１のフードに向けて動かし、この第２のフードをリール脚の他端に外側から被せる。ナット部材を締め込んでいくと、リール脚が第１のフードと第２のフードとの間で挟み込まれ、これら第１および第２のフードを介してリール脚がリールシート本体の上に固定される。
【０００５】
一方、魚釣用リールをリールシート本体から取り外すには、ナット部材を緩めて第２のフードを第１のフードから遠ざかる方向に移動させる。この移動により、第２のフードがリール脚の他端から離脱し、第１のフードと第２のフードとの間でのリール脚の挟み込みが解除される。よって、リール脚をリールシート本体から取り外すことができる。
【０００６】
このようなリール固定装置では、第２のフードを移動させる際には、ナット部材を手の指先で掴んで回転させる必要がある。そのため、従来のナット部材は、手の指先で掴めるだけの長さを有する中空の円筒状をなすとともに、その外周面が手の指先で容易に掴めるように、凹凸のないなだらかな曲面に仕上げられている（例えば、特許文献１参照）。
【特許文献１】特開２０００−３４２１２３号公報  （段落番号００１４，００１５、図１および図２）
【発明の開示】
【発明が解決しようとする課題】
【０００７】
従来のリール固定装置によると、ナット部材の外周面には、滑り止め用の細かな模様が存在するものの、ナット部材を回転させる際に、指先を掛けられるような部分を欠いている。そのため、例えばナット部材を強固に締め付ける時、あるいは強固に締め込まれたナット部材を緩める時に、指先が滑ってナット部材をうまく回すことができない場合があり、このナット部材の円滑な操作が妨げられてしまう。
【０００８】
本発明の目的は、ナット部材を締め付けたり、逆に緩める際の操作性が良好となり、リール脚の固定および固定解除を確実に行えるリール固定装置を得ることにある。
【０００９】
本発明の他の目的は、操作性に優れたリール固定装置を有する釣竿を得ることにある。
【課題を解決するための手段】
【００１０】
上記目的を達成するため、本発明の一つの形態に係るリール固定装置は、  
魚釣用リールのリール脚を受けるリールシート本体と、  
上記リールシート本体に設けられ、上記リール脚の一端を上記リールシート本体との間で保持する第１のフードと、  
上記第１のフードと向かい合うとともに、上記リール脚の他端を上記リールシート本体との間で保持する第２のフードと、  
上記第１のフードおよび上記第２のフードの少なくともいずれか一方に設けられ、上記リールシート本体に回転可能にねじ込まれる筒状のナット部材と、を備え、  
上記ナット部材を介して上記第１および第２のフードを相対的に近づく方向に移動させることにより、上記リール脚を上記リールシート本体に固定するリール固定装置であって、  
上記ナット部材の外周面に指掛け用の凹部を形成し、この凹部は、上記ナット部材の周方向に沿うとともに、少なくとも上記ナット部材の移動方向に沿う一端に、上記ナット部材の径方向外側に進むに従い上記凹部の幅を広げる方向に傾斜する傾斜面を有することを特徴としている。
【００１１】
上記目的を達成するため、本発明の一つの形態に係る釣竿は、  
リール脚を有する魚釣用リールを固定するためのリール固定装置を備えている。  
上記リール固定装置は、  
上記リール脚を受けるリールシート本体と、  
上記リールシート本体に設けられ、上記リール脚の一端を上記リールシート本体との間で保持する第１のフードと、  
上記第１のフードと向かい合うとともに、上記リール脚の他端を上記リールシート本体との間で保持する第２のフードと、  
上記第１のフードおよび上記第２のフードの少なくともいずれか一方に設けられ、上記リールシート本体にねじ込むことで、上記第１および第２のフードを相対的に近づく方向に移動させて上記リール脚を上記リールシート本体に固定する筒状のナット部材と、を備え、  
上記ナット部材の外周面に指掛け用の凹部を形成し、この凹部は、上記ナット部材の周方向に沿うとともに、少なくとも上記ナット部材の移動方向に沿う一端に、上記ナット部材の径方向外側に進むに従い上記凹部の幅を広げる方向に傾斜する傾斜面を有することを特徴としている。
【発明の効果】
【００１２】
本発明によれば、ナット部材の凹部に対応する箇所を手の指先で掴むことで、指先がナット部材に食い込んだ状態となり、指先とナット部材との接触範囲が広がる。そのため、ナット部材を指先でしっかりと掴んで容易に回転させることができる。
【００１３】
加えて、凹部の傾斜面に指先が引っ掛かるので、ナット部材を回転させつつ、このナット部材を指先で移動方向に押圧することができる。したがって、ナット部材を締め付けたり、逆に緩める作業を確実に行うことができ、ナット部材の操作性が向上する。
【発明を実施するための最良の形態】
【００１４】
以下本発明の第１の実施の形態を、図１ないし図７に基づいて説明する。
【００１５】
図１は、例えばルアーフィシングに用いる釣竿１を開示している。この釣竿１は、元竿管２を有している。元竿管２にグリップ３とリール固定装置４が取り付けられている。グリップ３は、例えば柔軟な発泡性樹脂材料やコルクで造られており、手で把持し易いような円筒状をなしている。
【００１６】
リール固定装置４は、例えば魚釣用の両軸リール５を取り外し可能に固定するためのものであり、グリップ３の前端に連なっている。両軸リール５は、スプール軸６を支持するボディ７を備えている。スプール軸６は、ボディ７の略中央部において元竿管２と直交する方向に延びるとともに、その両端が軸受を介してボディ７に支持されている。
【００１７】
ボディ７の下端にリール脚８が一体に形成されている。リール脚８は、ボディ７の前後方向に延びている。このため、リール脚８は、ボディ７の後端に位置する第１の端部８ａと、ボディ７の前端に位置する第２の端部８ｂとを有している。
【００１８】
図１ないし図３に示すように、リール固定装置４は、合成樹脂製のリールシート本体１０を備えている。リールシート本体１０は、元竿管２に固定されている。リールシート本体１０は、両軸リール５のリール脚８を受け止める平坦なシート部１１と、このシート部１１の後端に位置する円筒状の基部１２と、上記シート部１１の前端に位置する雄ねじ部１３とを有している。シート部１１、基部１２および雄ねじ部１３は、元竿管２の軸方向に一列に並んでいる。
【００１９】
シート部１１は、リールシート本体１０の上面に露出するとともに、元竿管２の軸方向に沿って延びている。基部１２は、グリップ３の前端に滑らかに連続するような外周面を有している。基部１２の外周面の上部に第１のフードとしての固定フード１４が一体に形成されている。固定フード１４は、シート部１１の後端に向けて開口するスリット状の第１の開口部１５を有している。
【００２０】
さらに、リールシート本体１０は、トリガー１６を有している。トリガー１６は、リールシート本体１０の基部１２からシート部１１とは反対側に向けて突出しており、グリップ３の直前に位置している。トリガー１６は、釣竿１のグリップ３を片手で握った時に、このグリップ３を握った手の中指と薬指とで挟み込むためのものである。このトリガー１６の存在により、グリップ３に対する手のずれを防止することができ、釣竿１のキャスティング操作を確実に行えるようになっている。
【００２１】
リールシート本体１０の雄ねじ部１３は、シート部１１の前端から前方に向けて突出しており、この雄ねじ部１３を元竿管２が同軸状に貫通している。シート部１１の前端部に第２のフードとしての可動フード１７が取り付けられている。可動フード１７は、例えばナイロンのような樹脂材料で造られており、雄ねじ部１３が貫通する中空の円筒状をなしている。可動フード１７は、シート部１１を間に挟んで固定フード１４と向かい合っている。
【００２２】
図４に示すように、可動フード１７は、大径部１８と小径部１９とを有している。大径部１８は、シート部１１の前端部を外側から覆うような大きさを有している。大径部１８の内面は、シート部１１の方向に進むに従い大径部１８の径方向外側に向けて傾斜している。このため、大径部１０の内面の一部は、シート部１１の前端部との間にスリット状の第２の開口部２０を形成している。この第２の開口部２０は、シート部１１の前端に向けて開口している。
【００２３】
可動フード１７の小径部１９は、大径部１８からシート部１１とは反対側を向くように突出している。小径部１９は大径部１８と同軸状をなしており、この小径部１９の先端に径方向外側に張り出す第１の係合爪部２１が形成されている。
【００２４】
図３に示すように、可動フード１７は、ナット部材２３を介してリールシート本体１０に保持されている。ナット部材２３は、手の指先で掴めるだけの長さを有する中空の円筒状をなしており、その内面に雌ねじ部２４が形成されている。ナット部材２３は、可動フード１７に同軸状に連結されて、この可動フード１７と一体化されている。ナット部材２３の雌ねじ部２４は、リールシート本体１０の雄ねじ部１３にねじ込まれている。このねじ込みにより、可動フード１７が固定フード１４に近づいたり遠ざかる方向に移動可能となっている。
【００２５】
両軸リール５をリールシート本体１０に固定するには、まず、両軸リール５のリール脚８をシート部１１の上に載置し、このリール脚８の第１の端部８ａを固定フード１４の第１の開口部１５に挿入する。次に、ナット部材２３を手の指先で掴んで締め付け方向に回転させる。この回転により、可動フード１７がナット部材２３と一緒にシート部１１に向けて移動し、この可動フード１７がリール脚８の第２の端部８ｂの上に被さる。
【００２６】
言い換えると、可動フード１７とシート部１１との間の第２の開口部２０にリール脚８の第２の端部８ｂが入り込む。この状態でさらにナット部材２３を締め付けると、リール脚８の第１および第２の端部８ａ，８ｂが固定フード１４と可動フード１７との間で挟み込まれるとともに、これら両フード１４，１７を介してシート部１１に押し付けられる。この結果、リール脚８がシート部１１に保持され、両軸リール５がリールシート本体１０の定位置に固定される。
【００２７】
両軸リール５をリールシート本体１０から取り外すには、ナット部材２３を手の指先で掴んで緩める方向に回転させる。この回転により、可動フード１７がナット部材２３と一緒にシート部１１から遠ざかる方向に移動し、可動フード１７がリール脚８の第２の端部８ｂから離脱する。これにより、固定フード１４と可動フード１７との間でのリール脚８の挟み込みが解除される。よって、両軸リール５をリールシート本体１０から取り外すことができる。
【００２８】
次に、可動フード１７を移動させるナット部材２３の詳細について説明する。
【００２９】
図４および図５に示すように、ナット部材２３は、ナット本体２５、ナットカバー部材２６、第１のリング２７、第２のリング２８および補強部材２９を備えている。ナット本体２５は、例えばナイロンのような樹脂材料で造られている。ナット本体２５は、元竿管２および雄ねじ部１３が挿通可能な中空の円筒状をなしており、このナット本体２５の内面に上記雌ねじ部２４が形成されている。
【００３０】
ナット本体２５は、上記雌ねじ部２４を有する第１の筒部３０と、この第１の筒部３０と同軸状をなす第２の筒部３１とを備えている。第２の筒部３１は、第１の筒部３０よりも大きな外径を有し、この第２の筒部３１と第１の筒部３０との境界部分に段付き部３２が形成されている。
【００３１】
第２の筒部３１は、第１の筒部３０から可動フード１７の小径部１９に向けて延びている。小径部１９は、第２の筒部３１の内側に摺動可能に嵌め込まれている。これにより、第２の筒部３１の先端が大径部１８の端面に突き当たっている。
【００３２】
第２の筒部３１の先端の内面に内向きに張り出す第２の係合爪部３３が形成されている。第２の係合爪部３３は、第２の筒部３１の内側で第１の係合爪部２１に引っ掛かっている。この第２の係合爪部３３と小径部１９との間には、可動フード１７とナット本体２５との相対的な回転を許容する遊びが存在する。言い換えると、第１および第２の係合爪部２１，３３は、可動フード１７とナット本体２５とを周方向に相対的に回転可能に連結している。
【００３３】
ナットカバー部材２６は、ナット本体２５の第１の筒部３０を外側から覆っている。ナットカバー部材２６は、例えばＥＶＡ樹脂のような手触りがよく、しかも滑り難い柔軟な材料で造られており、第１の筒部３０の外周面に接着のような手段で固定されている。このナットカバー部材２６を構成する材料としては、ＥＶＡ樹脂の代わりに例えばコルクを用いてもよい。
【００３４】
ナットカバー部材２６は、中空の円筒状をなしており、ナット部材２３の最大外径を規定している。そのため、ナットカバー部材２６から外れたナット本体２５の第２の筒部３１は、ナットカバー部材２６よりも径が小さい。
【００３５】
言い換えると、ナットカバー部材２６の存在により、ナット部材２３の外周面のうち第２の筒部３１に対応する部分に凹部３４が形成されている。凹部３４は、ナット部材２３の周方向に連続するとともに、ナット部材２３の軸方向に沿う中間部よりも可動フード１７の方向にずれた位置に設けられている。そして、凹部３４は、ナット部材２３の軸方向に沿う幅寸法を有し、この凹部３４の幅寸法は、手の指先を差し入れることができるような大きさに規定されている。この凹部３４の箇所では、ナット部材２３の肉厚が局部的に薄くなっている。
【００３６】
第１および第２のリング２７，２８は、例えばアルミニウム合金のような金属材料で造られている。第１のリング２７は、ナット本体２５の段付き部３２とナットカバー部材２６との間で挟み込まれている。第１のリング２７は、凹部３４の幅方向に沿う一端に位置するとともに、その外周部が凹部３４内に張り出している。第１のリング２７の外周部は、凹部３４に露出する第１の傾斜面３６を有している。第１の傾斜面３６は、凹部３４の底の方からナットカバー部材２６の外周面に向けて傾斜している。
【００３７】
第２のリング２８は、ナット本体２５の第２の筒部３１の後端外周部に嵌め込まれている。第２のリング２８は、凹部３４の幅方向に沿う他端に位置するとともに、この凹部３４内で第１のリング２７の外周部と向かい合っている。この第２のリング２８は、凹部３４に露出する第２の傾斜面３７を有している。第２の傾斜面３７は、凹部３４の底の方から上記可動フード１７に向けて傾斜している。
【００３８】
したがって、第１および第２の傾斜面３６，３７は、凹部３４内で互いに向かい合うとともに、ナット部材２３の径方向外側に進むに従い凹部３４の幅を広げる方向に傾斜している。
【００３９】
補強部材２９は、中空の円筒状をなしており、凹部３４の底を覆うように第２の筒部３１の外側に嵌合されている。補強部材２９は、ナット本体２５よりも硬質な繊維強化樹脂で造られている。この繊維強化樹脂は、繊維強化型材料の一例である。本実施形態の繊維強化樹脂は、その内層および外層に補強部材２９の周方向に沿うように配向された繊維を含んでおり、例えば補強部材２９の周方向の繊維目付が補強部材２９の軸方向の繊維目付の約２０％となっている。
【００４０】
このような繊維強化樹脂製の補強部材２９は、特に径方向に潰れ難くなり、ナット本体２５のうち凹部３４に対応する薄肉の部分を外側から補強している。この補強部材２９は、例えば肉厚が１mm未満であり、上記凹部３４の底を構成する第２の筒部３１よりも薄肉となっている。
【００４１】
さらに、補強部材２９は、凹部３４内に露出して指先が触れる部分でもあるため、その表面に滑り止め用の凹凸を設けることが望ましい。
【００４２】
補強部材２９を構成する材料としては、上記繊維強化樹脂に限らず、例えば繊維強化セラミックス、繊維強化金属のような軽くて硬いその他の繊維強化型材料あるいはステンレス、アルミニウム合金、チタンのような軽量な金属材料を用いてもよい。
【００４３】
図４に示すように、可動フード１７の大径部１８とナット本体２５の第２の筒部３１との境界部分は、外側から化粧リング３８によって覆われている。化粧リング３８は、例えばアルミニウム合金のような金属材料で造られており、大径部１８の外周面に接着等の手段により固定されている。そのため、化粧リング３８とナット本体２５とは、周方向に相対的に回転可能となっている。
【００４４】
さらに、化粧リング３８の外周面には、意匠的な視覚効果を高めるためにアルマイト加工が施されている。この化粧リング３８の外周面は、第２のリング２８の外周面に連続しており、この第２のリング２８との一体感が確保されている。
【００４５】
ナット本体２５の第１の筒部３０の先端は、トリムリング３９によって覆われている。トリムリング３９は、例えばアルミニウム合金のような金属材料で造られている。トリムリング３９は、第１の筒部３０の外周面とナットカバー部材２６との間に介在される円筒部４０を有している。トリムリング３９は、円筒部４０を第１の筒部３０およびナットカバー部材２６に接着することでナット部材２３に同軸状に固定されており、このトリムリング３９の内側を元竿管２が貫通している。
【００４６】
図４に示すように、ナット部材２３は、リング状のクリック機構４３を内蔵している。クリック機構４３は、ナット部材２３を回転させた時にクリック音を発生させるためのものであり、本実施形態の場合は、ナット本体２５の第１の筒部３０と可動フード１７の小径部１９との間に組み込まれている。そのため、クリック機構４３は、ナット本体２５の凹部３４によって取り囲まれており、ナット本体２５の中で最も薄肉な領域の内側に位置している。
【００４７】
図６に示すように、クリック機構４３は、第２の筒部３１の内周面に形成された複数の係合凹部４４と、スプリングユニット４５とを備えている。係合凹部４４は、第２の筒部３１の周方向に所定のピッチで並んでいる。
【００４８】
図７に示すように、スプリングユニット４５は、リング状のホルダ４６と略Ｕ字形のスプリング４７とを備えている。ホルダ４６は、リールシート本体１０の雄ねじ部１３とナット本体２５の第２の筒部３１との間に同軸状に保持されている。
【００４９】
ホルダ４６は、径方向内側に向けて突出する凸部４８と、周方向に沿う挟持溝４９とを有している。凸部４８は、雄ねじ部１３の外周面と向かい合っている。この雄ねじ部１３の外周面に係合溝５０が形成されている。係合溝５０は、雄ねじ部１３の軸方向に延びるとともに、雄ねじ部１３の先端縁に開口している。凸部４８は、係合溝５０に係合することで、雄ねじ部１３に対するホルダ４６の回り止めをなしている。
【００５０】
スプリング４７は、ホルダ４６の挟持溝４９に挿入するとともに、その両端をホルダ４６に引っ掛けることでホルダ４６に保持されている。スプリング４７は、その中間部に突起部５１を有している。突起部５１は、ホルダ４６の外周面から突出するとともに、このホルダ４６の径方向に弾性変形が可能となっている。突起部５１の先端は、いずれか一つの係合凹部４４に弾性的に引っ掛かっている。
【００５１】
このようなクリック機構４３では、ナット部材２３を回転させると、係合凹部４４とスプリングユニット４５との間に相対的な回転運動が生じる。これにより、スプリング４７の突起部５１が複数の係合凹部４４を一つ一つ乗り越えるとともに、係合凹部４４に繰り返し引っ掛かる。
【００５２】
したがって、スプリング４７の突起部５１が係合凹部４４を乗り越える時にクリック音が発生し、かつスプリング４４の突起部５１が係合凹部４４に引っ掛かる時の振動がクリック感としてナット部材２３に伝わるようになっている。
【００５３】
このような本発明の第１の実施の形態によると、両軸リール５のリール脚８をリールシート本体１０のシート部１１に固定したり、リール脚８の固定を解除するに当たっては、可動フード１７と一体化されたナット部材２３を手の指先で掴んで締め付け方向あるいは緩める方向に回転させる。
【００５４】
ナット部材２３は、その外周面に周方向に連続する凹部３４を有するので、ナット部材２３を回転させる時に、例えば親指の腹および人指し指の腹を凹部３４に当てるようにすれば、これら指がナット部材２３に食い込むような状態となる。このため、手の指とナット部材２３との接触範囲が広がり、このナット部材２３を指先でしっかりと掴んで容易に回転させることができる。
【００５５】
さらに、上記構成によると、指掛け用の凹部３４は、第１および第２の傾斜面３６，３７を有している。第１の傾斜面３６は、ナット部材２３を緩める時のナット部材２３の移動方向に沿う先端側に位置している。逆に第２の傾斜面３７は、ナット部材２３を締め付ける時のナット部材２３の移動方向に沿う先端側に位置している。
【００５６】
このため、ナット部材２３を締め付ける方向に回転させる時には、主に親指の腹を第２の傾斜面３７に引っ掛けることができる。逆にナット部材２３を緩める方向に回転させる時には、主に親指の腹を第１の傾斜面３６に引っ掛けることができる。
【００５７】
したがって、ナット部材２３を回転させつつ、その移動方向に沿うように雄ねじ部１３の軸方向に押圧することができ、ナット部材２３を締め付けたり、緩める作業を容易に行うことができる。よって、ナット部材２３の操作性が向上し、リール脚８の固定および固定解除を確実に行うことができる。
【００５８】
図１および図３に示すように、ナット部材２３を完全に締め付けてリール脚８をリールシート本体１０のシート部１１に固定した状態では、可動フード１７がシート部１１の前端部に被さるとともに、ナット部材２３の凹部３４が両軸リール５のボディ７の前端部に隣接する。
【００５９】
この際、ナット部材２３の外周面が凹みのないなだらかな形状であると、ナット部材２３とボディ７の前端部との間のクリアランスが少なくなる。そのため、ナット部材２３を指先で掴んで回転させる時に、指がボディ７の前端部に干渉することがあり得る。
【００６０】
しかるに、本実施の形態によると、ナット部材２３の外周面に設けた凹部３４は、ナット部材２３を完全に締め付けた時に、ボディ７の前端部に隣接する。そのため、凹部３４の深さに相当する分だけ、ナット部材２３とボディ７の前端部との間のクリアランスが広がる。
【００６１】
この結果、ナット部材２３を締め付けたり緩める時に、手の指がボディ７の前端部とナット部材２３との間に入り易くなる。よって、ナット部材２３を操作する際にボディ７が邪魔とならず、ナット部材２３の操作性が良好となる。
【００６２】
さらに、ナット部材２３と可動フード１７とは、相対的に回転可能に連結されている。この構成によれば、ナット部材２３を締め付け方向に回転させて可動フード１７をシート部１１の方向に移動させた場合、可動フード１７は、その大径部１８がリール脚８の第２の端部８ｂに接した以降、その接触部分に生じる摩擦抵抗により回転することなく軸方向にのみ移動する。
【００６３】
この結果、ナット部材２３を締め付け方向又は緩める方向に回転させた時に、ナット部材２３は可動フード１７に対し空転することになる。よって、可動フード１７の大径部１８とリール脚８の第２の端部８ｂとが互いに擦れ合うことはなく、可動フード１７の内面およびリール脚８の双方に傷が付き難くなる。それとともに、ナット部材２３の回転を妨げようとする抵抗を小さく抑えることができ、ナット部材２３を回転させる際のトルクが小さくて済む。
【００６４】
一方、釣竿１のグリップ３を手で握ってキャスティング操作をする時、釣人によっては図１に示すようにトリガー１６を中指と薬指とで挟み込むとともに、親指で両軸リール５を上から押さえ、さらに人指し指をリールシート本体１０の側面に沿わせて前に延ばすことがあり得る。この状態では、手の大きさにもよるが、通常は人指し指の指先に対応する箇所に丁度凹部３４が位置するようになる。このため、人指し指の指先を凹部３４に添えることができ、リールシート本体１０に対する人指し指の収まりが良好となる。
【００６５】
よって、釣竿１をキャスティング操作する時に、手の指の位置および向きが的確に定まり、キャスティング操作を確実に行うことができる。
【００６６】
本実施の形態に係るナット部材２３によると、その凹部３４の底が補強部材２９で覆われている。このため、上記のように人指し指の指先を凹部３４に添わせた場合、この指先が補強部材２９に接することになる。補強部材２９は、繊維強化樹脂のような硬質な材料で造られており、この種の硬質材料は一般に振動を伝え易く、感度がよい。そのため、ルアーフィシングの最中に人指し指の指先を凹部３４に添わせておけば、例えばルアーをリトリーブする際に、ルアーの動きに伴う振動が元竿管２からナット部材２３を経由して手に伝わり易くなる。したがって、ルアーの動きを容易に知ることができる。
【００６７】
加えて、本実施の形態に係るナット部材２３では、クリック音を発生させるクリック機構４３がナット本体２５のうち凹部３４で囲まれた領域に組み込まれている。言い換えると、クリック機構４３がナット本体２５の中で最も薄肉となる領域の内側に位置している。このため、ナット部材２３を回転させた時、スプリング４７の突起部５１が複数の係合凹部４４を一つ一つ乗り越える際に生じる振動がナット本体２５に吸収される割合が少なくなる。
【００６８】
しかも、指先が触れる凹部３４の底は、振動を伝え易い繊維強化樹脂製の補強部材２９で覆われているから、スプリング４７の突起部５１からナット本体２５に伝わる振動が、そのまま補強部材２９を介して手に伝わる。
【００６９】
よって、ナット部材２３の回転時にクリック感を容易に得ることができ、ナット部材２３から手に伝わる感触により、ナット部材２３の締め付け状態を確認することができる。
【００７０】
その上、硬質な補強部材２９の存在により、ナット部材２３の凹部３４を強い力で掴んだとしても、この力に補強部材２９が対抗する。特に本実施形態で用いる繊維強化樹脂は、補強部材２９の周方向に沿うように配向された繊維を含んでおり、径方向に潰れ難いといった特性を有している。
【００７１】
このため、ナット部材２３の凹部３４を掴んだ時に、ナット本体２５の薄肉な部分の変形を防止することができ、この薄肉な部分に位置するクリック機構４３を保護できる。言い換えると、ナット本体２５が径方向に潰れるように変形した場合、このナット本体２５の内面に形成された係合凹部４４とスプリング４７の突起部５１との接触状態がナット本体２５の周方向に沿って変化する。これにより、ナット部材２３の回転時に、スプリング４７の突起部５１が係合凹部４４に強く当る箇所と弱く当る箇所とが生じ、クリック音およびクリック感にばらつきが生じてくる。
【００７２】
しかるに、補強部材２９によってナット本体２５の変形を防止することで、スプリング４７の突起部５１は、ナット部材２３の回転時に全ての係合凹部４４に対し均等の弾力で接触する。この結果、ナット部材２３の回転が円滑となるのは勿論のこと、安定したクリック音およびクリック感を得ることができる。
【００７３】
なお、本発明は上記第１の実施の形態に特定されるものではない。図８および図９は、本発明の第２の実施の形態を開示している。この第２の実施の形態は、ナット部材６１の構成が上記第１の実施の形態と相違しており、それ以外の釣竿１の構成は第１の実施の形態と同様である。そのため、第２の実施の形態において、第１の実施の形態と同一の構成部分には同一の参照符号を付して、その説明を省略する。
【００７４】
図８に示すように、ナット部材６１は、元竿管２およびリールシート本体１０の雄ねじ部１３が貫通する中空円筒状のナット本体６２を備えている。ナット本体６２は、例えばナイロンのような樹脂材料で造られており、ナット部材６１の最大外径を規定する外周面６３を有している。この外周面６３には、例えば機械的又は化学的処理によって滑り止め用の微細な凹凸を形成することが望ましい。ナット本体６２は、その内周面の中間部に雌ねじ部２４を有するとともに、内周面の後端部に第２の係合爪部３３を有している。
【００７５】
このナット部材６２の外形状は円筒形に限らず、例えばトリムリング３９の方向に進むに従い径を減じる方向に傾斜させる、いわゆる先細り状に形成してもよい。
【００７６】
可動フード１７の小径部１９は、ナット本体６２の後端部の内側に摺動可能に嵌め込まれており、これによりナット本体６２の後端面が大径部１８の端面に突き当たっている。小径部１９の先端に位置する第１の係合爪部２１は、ナット本体６２の後端部の内側で第２の係合爪部３３に引っ掛かっている。この第２の係合爪部３３と小径部１９の外周面との間には、可動フード１７とナット本体６２との相対的な回転を許容する遊びが存在する。言い換えると、第１および第２の係合爪部２１，３３は、可動フード１７とナット本体６２とを相対的に回転可能に連結している。
【００７７】
この第２の実施の形態においては、ナット本体６２の後端面と大径部１８の端面との間に例えば樹脂製の平滑なリングを介在させても良い。このことにより、ナット本体６２と大径部１８との接触部分の摩擦抵抗を軽減することができ、ナット部材６１を回転させる際のトルクを小さくできる。
【００７８】
図９に示すように、ナット本体６２の外周面に凹部６５が形成されている。凹部６５は、ナット本体６２の周方向に連続するとともに、ナット本体６２の軸方向に沿う中間部よりも可動フード１７の方向にずれた位置に設けられている。この凹部６５の位置でのナット本体６２の肉厚は、ナット本体６２の後端部の肉厚の略半分にまで減じられている。そのため、ナット本体６２は、凹部６５の位置で最も薄肉となっている。
【００７９】
凹部６５は、ナット本体６２の軸方向に沿う幅寸法を有している。凹部６５の幅寸法は、手の指先を差し入れることができるような大きさに規定されている。さらに、凹部６５は、第１および第２の傾斜面６６，６７を有している。第１の傾斜面６６は、凹部６５の前端に位置し、この凹部６５の底からナット本体６２の径方向外側に進むに従い前方に向って傾斜している。第２の傾斜面６７は、凹部６５の後端に位置し、この凹部６５の底からナット本体６２の径方向外側に進むに従い後方に向って傾斜している。
【００８０】
したがって、第１および第２の傾斜面６６，６７は、凹部６５内で互いに向かい合うとともに、ナット部材６１の径方向外側に進むに従い凹部６５の幅を広げる方向に傾斜している。
【００８１】
図９に示すように、ナット部材６１は、クリック機構４３を内蔵している。クリック機構４３は、ナット本体６２の雌ねじ部２４と可動フード１７の小径部１９との間に組み込まれている。そのため、クリック機構４３は、ナット本体６２の凹部６５によって取り囲まれており、ナット本体６２の中で最も薄肉な領域の内側に位置している。
【００８２】
このような構成によると、ナット部材６１の外周面６３に第１および第２の傾斜面６６，６７を有する凹部６５が形成されている。このため、ナット部材６１を回転させる時に、親指の腹および人指し指の腹を凹部６５に当てるようにすれば、これらの指がナット部材６１に食い込むような状態となる。このため、手の指とナット部材６１との接触範囲が広がり、このナット部材６１を指先でしっかりと掴んで容易に回転させることができる。
【００８３】
さらに、ナット部材６１を締め付ける方向および緩める方向に回転させる時に、主に親指の腹を第１および第２の傾斜面６６，６７に引っ掛けることができる。したがって、上記第１の実施の形態と同様に、ナット部材６１を回転させつつ、その移動方向に沿うように雄ねじ部１３の軸方向に押圧することができる。よって、ナット部材６１の操作性が向上し、リール脚８の固定および固定解除を確実に行うことができる。
【００８４】
加えて、クリック音およびクリック感を発生させるクリック機構４３は、ナット本体６２の中で最も薄肉となる領域の内側に位置している。このため、ナット部材６１を回転させた時に、スプリング４７の突起部５１が複数の係合凹部４４を一つ一つ乗り越える際に生じるクリック音および振動がナット本体６２に吸収される割合が少なくなる。
【００８５】
よって、ナット部材６１の回転時に発生するクリック音を聞き取り易くなるとともに、クリック感が手に伝わり易くなる。
【００８６】
なお、上記第１および第２の実施の形態では、リールシート本体のシート部の前端に位置する第２のフードを移動可能な可動フードとしたが、本発明はこれに制約されない。
【００８７】
例えば、シート部の後端に位置する第１のフードを移動可能な可動フードとするとともに、シート部の前端に位置する第２のフードを固定フードとしたり、第１および第２のフードの双方を可動フードとしてもよい。第１および第２のフードを可動フードとする場合、各フードにナット部材を設ける必要があることは勿論である。
【図面の簡単な説明】
【００８８】
【図１】本発明の第１の実施の形態において、リール固定装置に両軸リールを固定した状態を示す釣竿の側面図。
【図２】本発明の第１の実施の形態に係るリール固定装置の斜視図。
【図３】本発明の第１の実施の形態に係るリール固定装置の断面図。
【図４】本発明の第１の実施の形態に係るナット部材を一部断面で示す側面図。
【図５】本発明の第１の実施の形態に係るナット部材の斜視図。
【図６】本発明の第１の実施の形態において、ナット本体の内部に組み込まれるクリック機構の断面図。
【図７】（Ａ）は、本発明の第１の実施の形態において、クリック機構のスプリングユニットを示す断面図。（Ｂ）は、本発明の第１の実施の形態において、クリック機構のスプリングユニットを示す側面図。
【図８】本発明の第２の実施の形態に係るリール固定装置の断面図。
【図９】本発明の第２の実施の形態に係るナット部材を一部断面で示す側面図。
【符号の説明】
【００８９】
１…釣竿、４…リール固定装置、５…リール（両軸リール）、８…リール脚、１０…リールシート本体、１４…第１のフード（固定フード）、１７…第２のフード（可動フード）、２３，６１…ナット部材、３４，６５…凹部、３６，３７，６６，６７…傾斜面（第１の傾斜面、第２の傾斜面）
【図１】
2006333726.tif 000003
【図２】
2006333726.tif 000004
【図３】
2006333726.tif 000005
【図４】
2006333726.tif 000006
【図５】
2006333726.tif 000007
【図６】
2006333726.tif 000008
【図７】
2006333726.tif 000009
【図８】
2006333726.tif 000010
【図９】
2006333726.tif 000011